(57)【要約】【課題】権限の低い人物が処理ユニットの内部に残留した媒体に触れることを抑制する。【解決手段】自動取引装置１００は、媒体（紙幣２３）が収納される金庫筺体１０と、金庫筺体の開口部に開閉可能に設けられた金庫扉４１と、金庫筺体の近傍に移動可能に設けられ、かつ、媒体を搬送する搬送部１２を有する処理ユニット（紙幣取扱上部ユニット９）と、金庫扉が閉じられているときに、処理ユニットの移動を規制する規制部３０と、を備える。【選択図】図４
2019133256.tif 000002
【特許請求の範囲】
【請求項１】
媒体が収納される金庫筺体と、
前記金庫筺体の開口部に開閉可能に設けられた金庫扉と、
前記金庫筺体の近傍に移動可能に設けられ、かつ、媒体を搬送する搬送部を有する処理ユニットと、
前記金庫扉が閉じられているときに、前記処理ユニットの移動を規制する規制部と、を備える
ことを特徴とする自動取引装置。
【請求項２】
請求項１に記載の自動取引装置において、
前記規制部は、
前記処理ユニットに設けられた嵌合部に嵌合する嵌合部材と、
前記金庫扉の開閉動作に連動して前記嵌合部材を動かす作動機構と、を有しており、
前記作動機構は、前記金庫扉が閉じられるときに、前記嵌合部に近づく方向に前記嵌合部材を移動させることにより、前記嵌合部と前記嵌合部材とを嵌合させ、一方、前記金庫扉が開かれるときに、前記嵌合部から離れる方向に前記嵌合部材を移動させることにより、前記嵌合部と前記嵌合部材との嵌合を解除させる
ことを特徴とする自動取引装置。
【請求項３】
請求項２に記載の自動取引装置において、
さらに、前記処理ユニットの要部を覆うカバー部材と、
前記カバー部材と当接して、前記カバー部材の動きを規制する当接部材と、を備え、
前記カバー部材は、前記処理ユニットとともに移動可能で、かつ、前記処理ユニットに設けられた軸部を中心に回動可能に、設けられており、
前記当接部材は、前記処理ユニットが所望の場所から別の場所に移動されたときに、前記カバー部材との当接が解除されて、前記カバー部材の動きを規制しない状態になり、一方、前記処理ユニットが前記別の場所から前記所望の場所に戻されたときに、前記カバー部材と当接して、前記カバー部材の動きを規制する状態になる
ことを特徴とする自動取引装置。
【請求項４】
請求項３に記載の自動取引装置において、
前記処理ユニットは、可動部を有しており、
前記カバー部材は、前記可動部を外部から隠蔽するように設けられている
ことを特徴とする自動取引装置。
【請求項５】
請求項１に記載の自動取引装置において、
前記規制部は、前記金庫扉に固定して設けられ、かつ、前記金庫扉の開閉動作に連動して移動する扉連動部材によって構成されており、
前記扉連動部材は、前記金庫扉が閉じられているときに、前記処理ユニットと当接した状態又は近接した状態になり、一方、前記金庫扉が開かれているときに、前記処理ユニットから離間した状態になる
ことを特徴とする自動取引装置。
【請求項６】
請求項５に記載の自動取引装置において、
前記扉連動部材は、前記金庫扉が閉じられているときに、その先端部が前記処理ユニットに設けられた開閉可能なガイドに当接した状態又は近接した状態になり、前記ガイドの動きを規制する
ことを特徴とする自動取引装置。
【請求項７】
請求項５又は請求項６に記載の自動取引装置において、
さらに、前記処理ユニットの要部を外部から隠蔽するカバー部材を備え、
前記カバー部材は、前記処理ユニットの側方に固定して設けられており、
前記カバー部材は、前記処理ユニットが所望の場所から別の場所に移動されることにより、前記処理ユニットの要部を外部に露出させた状態になり、一方、前記処理ユニットが前記別の場所から前記所望の場所に戻されることにより、前記処理ユニットの要部を外部から隠蔽した状態になる
ことを特徴とする自動取引装置。
【請求項８】
請求項７に記載の自動取引装置において、
前記処理ユニットは、可動部を有しており、
前記カバー部材は、前記可動部を外部から隠蔽するように設けられている
ことを特徴とする自動取引装置。
【発明の詳細な説明】
【技術分野】
【０００１】
本発明は、媒体を搬送する搬送部を有する自動取引装置に関する。
【背景技術】
【０００２】
例えば、金融機関や流通機関では、自動取引装置の一種として、現金自動預け払い機（ＡＴＭ）や、紙幣施封機、両替機、その他の装置が用いられている。また、交通機関や流通機関では、自動取引装置の一種として、発券機や、その他の装置が用いられている。
【０００３】
これらの自動取引装置は、装置本体の内部に、紙幣等の媒体が収納される金庫筺体と、媒体を搬送する搬送部を有する処理ユニットと、を備えている（例えば、特許文献１参照）。処理ユニットは、装置本体の内部から外部に引き出すことができるように、移動可能な構造になっている。自動取引装置の保守員は、例えば、処理ユニットの内部に媒体が残留するような障害が発生した場合に、処理ユニットを装置本体の外部に引き出して、処理ユニットの内部に残留している媒体を取り除く。これにより、保守員は、自動取引装置の障害を解消する。
【先行技術文献】
【特許文献】
【０００４】
【特許文献１】特開２０１３−２１８５１３号公報
【発明の概要】
【発明が解決しようとする課題】
【０００５】
しかしながら、従来の自動取引装置は、処理ユニットの内部に媒体が残留するような障害が発生したときに、権限の低い人物（例えば、金庫筺体の内部にアクセスする権限を持たない人物）が処理ユニットの内部に残留した媒体に触れることが可能な構造になっていた。そのため、従来の自動取引装置は、権限の低い人物が処理ユニットの内部に残留した媒体に触れることを抑制することが望まれていた。
【０００６】
本発明は、前記した課題を解決するためになされたものであり、権限の低い人物が処理ユニットの内部に残留した媒体に触れることを抑制する自動取引装置を提供することを主な目的とする。
【課題を解決するための手段】
【０００７】
前記目的を達成するため、本発明は、自動取引装置であって、媒体が収納される金庫筺体と、前記金庫筺体の開口部に開閉可能に設けられた金庫扉と、前記金庫筺体の近傍に移動可能に設けられ、かつ、媒体を搬送する搬送部を有する処理ユニットと、前記金庫扉が閉じられているときに、前記処理ユニットの移動を規制する規制部と、を備える構成とする。
【発明の効果】
【０００８】
本発明によれば、権限の低い人物が処理ユニットの内部に残留した媒体に触れることを抑制することができる。
【図面の簡単な説明】
【０００９】
【図１】実施形態１に係る自動取引装置の外部構成図である。
【図２】実施形態１に係る自動取引装置の内部構成図である。
【図３】実施形態１に係る自動取引装置の紙幣ユニットの構成図（１）である。
【図４】実施形態１に係る自動取引装置の紙幣ユニットの構成図（２）である。
【図５】実施形態１で用いる規制部の構成図である。
【図６】実施形態１で用いるセキュリティカバーの構成図である。
【図７】実施形態１で用いるセキュリティカバーの動作説明図である。
【図８】実施形態２で用いる規制部の構成図（１）である。
【図９】実施形態２で用いる規制部の構成図（２）である。
【図１０】実施形態２で用いる規制部の構成図（３）である。
【図１１】比較例に係る自動取引装置の構成図である。
【発明を実施するための形態】
【００１０】
以下、図面を参照して、本発明の実施の形態（以下、「本実施形態」と称する）について詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１１】
［実施形態１］
＜自動取引装置の構成＞
以下、図１及び図２を参照して、本実施形態１に係る自動取引装置１００の構成について説明する。図１は、本実施形態１に係る自動取引装置１００の外部構成図である。図２は、自動取引装置１００の内部構成図である。ここでは、自動取引装置１００が金融機関や流通機関で用いられる自動現金預け払い機（ＡＴＭ）として構成されているものとして説明する。また、ここでは、自動取引装置１００によって取り扱われる媒体が紙幣であるものとして説明する。
【００１２】
図１に示すように、本実施形態１に係る自動取引装置１００は、装置本体１に、表示操作部２と、カード明細口３と、紙幣口４と、番号入力部５と、を有している。表示操作部２は、情報を表示したり、情報を入力したりする部位である。カード明細口３は、キャッシュカードの挿入排出及び取引明細の排出を行う部位である。紙幣口４は、入金及び出金時に紙幣の挿入排出を行う部位である。番号入力部５は、取引時に暗証番号の入力を行う部位である。
【００１３】
図示例では、表示操作部２は、ディスプレイの上にタッチパネルが配置された構成になっている。自動取引装置１００の利用者は、例えば、出金取引を行う場合に、表示操作部２に表示された出金取引ボタンを押下する。そして、利用者は、表示操作部２に表示された案内に従って、キャッシュカード（図示せず）をカード明細口３に挿入し、番号入力部５で暗証番号を入力することで、現金の払い戻し（出金）を行うことができる。
【００１４】
装置本体１の前面には、それぞれ開閉可能な上部前扉１ａと下部前扉１ｂとが設けられている。上部前扉１ａと下部前扉１ｂとは、例えば、保守時に保守員によって開閉される。保守員は、比較的高い権限を有する人物であり、例えば、金庫筺体１０の内部にアクセスする権限を有している。図示例では、上部前扉１ａは、縦方向（上下方向）に開く構造になっている。下部前扉１ｂは、横方向（左右方向）に開く構造になっている。
【００１５】
図２に示すように、装置本体１のキャビネット１８の内部には、制御部ユニット６と、電源ユニット７と、レシートユニット８とが配置されている。制御部ユニット６は、全体の動作を制御するユニットである。電源ユニット７は、各部に電力を供給するユニットである。レシートユニット８は、レシートを発行するユニットである。
【００１６】
レシートユニット８は、ロール紙が収納されるロール紙収納部８ａと、取引情報等をロール紙に印刷するプリンタ部８ｂと、を有している。自動取引装置１００は、取引を実行する度に、レシートユニット８で取引情報等をロール紙に印刷してレシートを発行する。
【００１７】
自動取引装置１００は、紙幣が保管される金庫１１０を備えている。金庫１１０は、紙幣が収納される金庫筺体１０と、紙幣を取り扱う紙幣ユニット１１１とを有している。
【００１８】
金庫１１０は、紙幣が収納される空間として、媒体収納部１０ａを有している。金庫筺体１０の前面には、開口部１０ｂが設けられている。その開口部１０ｂには、開閉可能な金庫扉４１が設けられている。金庫扉４１は、下部前扉１ｂの後方（奥側）に配置されている。
【００１９】
紙幣ユニット１１１は、上側に配置された紙幣取扱上部ユニット９と、下側に配置された紙幣取扱下部ユニット１１とに分かれている。紙幣取扱上部ユニット９は、紙幣の搬送部１２（図４参照）を有する処理ユニットである。紙幣取扱下部ユニット１１は、紙幣を収納する収納ユニットである。紙幣取扱上部ユニット９は、金庫筺体１０の上側に配置され、一方、紙幣取扱下部ユニット１１は、金庫筺体１０の内部に配置されている。
【００２０】
図３及び図４に示すように、紙幣取扱上部ユニット９は、キャビネット１８の内部に設けられたスライドレール１７によって前後方向に移動可能に支持されている。また、紙幣取扱下部ユニット１１は、金庫筺体１０の内部に設けられたスライドレール２１によって前後方向に移動可能に支持されている。これにより、自動取引装置１００は、紙幣取扱上部ユニット９と紙幣取扱下部ユニット１１とを装置本体１の外部に引き出したり、装置本体１の内部に収納したりすることが可能な構造になっている。なお、図３は、紙幣取扱上部ユニット９と紙幣取扱下部ユニット１１とを装置本体１の外部に引き出した状態を示している。また、図４は、紙幣取扱上部ユニット９と紙幣取扱下部ユニット１１とを装置本体１の内部に収納した状態を示している。
【００２１】
図３に示すように、自動取引装置１００は、上部前扉１ａが開かれることによって、紙幣取扱上部ユニット９を外部に引き出すことが可能な構造になっている。また、自動取引装置１００は、下部前扉１ｂが開かれ、さらに、金庫扉４１が開かれることによって、紙幣取扱下部ユニット１１を外部に引き出すことが可能な構造になっている。
【００２２】
図３及び図４に示すように、紙幣取扱上部ユニット９は、搬送部１２（図４参照）と、接客部１３と、認識部１４と、一時保留部１５と、上部ベース１６と、を有している。搬送部１２（図４参照）は、紙幣を搬送する機構である。接客部１３は、利用者との間で紙幣の受け渡しを行う機構である。認識部１４は、紙幣の鑑別を行う機構である。一時保留部１５は、紙幣を一時的に保留させる部位である。上部ベース１６は、搬送部１２（図４参照）と、接客部１３と、認識部１４と、一時保留部１５を搭載する部材である。上部ベース１６は、スライドレール１７によって移動可能に支持されている。これにより、紙幣取扱上部ユニット９は、保守時に、上部ベース１６ごと、搬送部１２（図４参照）と接客部１３と認識部１４と一時保留部１５とを一括で装置本体１の外部に引き出すことができる。
【００２３】
紙幣取扱下部ユニット１１は、複数の紙幣カセット１９と、下部フレーム２０と、を有している。紙幣カセット１９は、金種毎に紙幣を収納するカセットである。下部フレーム２０は、複数の紙幣カセット１９を搭載する部材である。通常、紙幣２３（図４参照）は、紙幣カセット１９の内部に充填されており、金庫筺体１０の内部で保管されている。下部フレーム２０は、スライドレール２１によって移動可能に支持されている。これにより、紙幣取扱下部ユニット１１は、保守時に、下部フレーム２０ごと、複数の紙幣カセット１９を一括で装置本体１の外部に引き出すことができる。
【００２４】
図４に示すように、紙幣取扱上部ユニット９と紙幣取扱下部ユニット１１との間には、紙幣受渡し部２２が設けられている。紙幣受渡し部２２は、紙幣取扱上部ユニット９と紙幣取扱下部ユニット１１との間で紙幣２３の受け渡しを行う機構である。
【００２５】
自動取引装置１００は、出金時に、紙幣取扱下部ユニット１１の紙幣カセット１９から紙幣２３を繰り出す。そして、自動取引装置１００は、繰り出した紙幣２３を、紙幣受渡し部２２、紙幣取扱上部ユニット９の搬送部１２、認識部１４を経由させて、接客部１３の接客口１３ａまで搬送する。自動取引装置１００は、紙幣２３を接客部１３の接客口１３ａまで搬送したら、接客シャッタ２４を開いて紙幣２３を利用者に出金する。
【００２６】
紙幣取扱上部ユニット９は、人手で操作可能な可動部として、シャッタ開閉ノブ２５や、接客部搬送ノブ２６、搬送部駆動ノブ２８等のノブ類と、オープンガイド２７とを有している。シャッタ開閉ノブ２５は、接客部１３の接客口１３ａに設けられた接客シャッタ２４を開閉させるための部材である。接客部搬送ノブ２６は、搬送部１２を駆動させて接客部１３に残留した紙幣２３を移動させるための部材である。搬送部駆動ノブ２８は、搬送部１２を駆動して搬送経路の途中部分に残留した紙幣２３を移動させるための部材である。保守員は、人手でノブ類を操作することにより、接客シャッタ２４を開けたり、搬送部１２を駆動させて、紙幣２３を移動させたりすることができる。オープンガイド２７は、紙幣２３の搬送経路の途中部分に設けられた開閉自在なガイド部材である。保守員は、オープンガイド２７を開けることにより、搬送経路の途中部分にアクセスすることができる。本実施形態１では、オープンガイド２７は、紙幣取扱上部ユニット９の前面に設けられている。
【００２７】
自動取引装置１００の保守員は、例えば、紙幣取扱上部ユニット９の内部に紙幣２３が残留するような障害が発生した場合に、自動取引装置１００の保守を行う。その際に、保守員は、まず、上部前扉１ａや下部前扉１ｂ、金庫扉４１を開き、次に、紙幣取扱上部ユニット９や紙幣取扱下部ユニット１１を装置本体１の外部に引き出す。そして、保守員は、シャッタ開閉ノブ２５を操作して接客シャッタ２４を開けたり、オープンガイド２７に触って手でオープンガイド２７を開けたりする。その後、保守員は、残留した紙幣２３の位置に応じて、接客部搬送ノブ２６や搬送部駆動ノブ２８等を操作して、残留した紙幣２３を接客口１３ａの方向に移動させたり又はオープンガイド２７の方向に移動させたりする。そして、保守員は、残留した紙幣２３を接客口１３ａの方向に移動させた場合に、接客口１３ａから紙幣２３を取り除く。一方、保守員は、残留した紙幣２３をオープンガイド２７の方向に移動させた場合に、オープンガイド２７の奥に配置された搬送路から紙幣２３を取り除く。これにより、保守員は、自動取引装置１００の障害を解消する。
【００２８】
ところで、自動取引装置１００は、紙幣取扱上部ユニット９の内部に紙幣２３が残留するような障害が発生した場合に、権限の低い人物（例えば、金庫筺体１０の内部にアクセスする権限を持たない人物）が紙幣取扱上部ユニット９の内部に残留した紙幣２３に触れることを抑制することが要望される。
【００２９】
そこで、自動取引装置１００は、紙幣取扱上部ユニット９のセキュリティを向上させるためのセキュリティ機構として、規制部３０と、セキュリティカバー３９と、ビーム４９と、を有している。
【００３０】
規制部３０は、金庫扉４１が閉じられているときに、紙幣取扱上部ユニット９の移動（引き出し）を規制する機構である。
【００３１】
セキュリティカバー３９は、紙幣取扱上部ユニット９が装置本体１（キャビネット１８）の内部に収納されているときに、シャッタ開閉ノブ２５や接客部搬送ノブ２６、オープンガイド２７、搬送部駆動ノブ２８等の、紙幣取扱上部ユニット９の要部を覆うカバー部材である。
【００３２】
ビーム４９は、紙幣取扱上部ユニット９が装置本体１（キャビネット１８）の内部に収納されているときに、セキュリティカバー３９と当接して、セキュリティカバー３９の動きを規制する当接部材である。ビーム４９は、例えば、板状の部材又は棒状の部材によって構成される。ビーム４９は、キャビネット１８の右内壁面と左内壁面との間に延在するように配置され、キャビネット１８の構造体の一部を形成している。なお、自動取引装置１００は、セキュリティカバー３９の動きを規制する当接部材として、ビーム４９の代わりに、キャビネット１８の内壁面に突起を有する構造になっていてもよい。
【００３３】
自動取引装置１００は、規制部３０とセキュリティカバー３９とビーム４９とを有することにより、紙幣取扱上部ユニット９のセキュリティを向上させて、前記した要望を満たす構造になっている。
【００３４】
なお、図１１は、従来技術に相当する比較例に係る自動取引装置１０００の構成図である。比較例に係る自動取引装置１０００（図１１参照）は、本実施形態１に係る自動取引装置１００（図４参照）と異なり、セキュリティ機構としての規制部３０とセキュリティカバー３９とビーム４９とを有していない構造になっている。このような比較例に係る自動取引装置１０００は、本実施形態１に係る自動取引装置１００（図４参照）と異なり、前記した要望を満たさない構造になっている。
【００３５】
＜セキュリティ機構の構成＞
以下、図５乃至図７を参照して、自動取引装置１００のセキュリティ機構としての規制部３０とセキュリティカバー３９とビーム４９との構成について説明する。図５は、規制部３０の構成図である。図６は、セキュリティカバー３９の構成図である。図７は、セキュリティカバー３９の動作説明図である。
【００３６】
図５に示すように、規制部３０は、ロック棒３１と、リンク機構３２とを有している。ロック棒３１は、金庫筺体１０の天板に設けられた孔１０ｃと上部ベース１６に設けられた孔１６ａとに入り込む嵌合部材である。孔１６ａと孔１０ｃは、ロック棒３１が入り込む嵌合部である。リンク機構３２は、金庫扉４１の開閉動作に連動してロック棒３１を動かす作動機構である。
【００３７】
リンク機構３２は、ブラケット３２ａと、アーム部材３２ｂと、スプリング３２ｃとを有している。ブラケット３２ａは、金庫筺体１０に固定される部材である。ブラケット３２ａは、ネジ等で金庫筺体１０の内壁面に固定される固定部３２ａａを備えている。アーム部材３２ｂは、金庫扉４１の開閉動作に連動してロック棒３１を動かす部材である。アーム部材３２ｂは、金庫扉４１の内壁面に当接する突起３２ｂａを備えている。スプリング３２ｃは、孔１６ａ及び孔１０ｃから外れる方向（白抜き矢印Ｂ２とは逆向きの方向）にロック棒３１を付勢する部材である。図５に示すように、金庫扉４１が閉じられた場合に、スプリング３２ｃは縮んだ状態になる。一方、金庫扉４１が開けられた場合に、スプリング３２ｃは伸びた状態になる。
【００３８】
紙幣取扱上部ユニット９が装置本体１（キャビネット１８）の内部に収納された状態で、金庫扉４１が閉じられた場合に、金庫扉４１の内壁面がアーム部材３２ｂの突起３２ｂａに当接して、金庫扉４１が白抜き矢印Ｂ１の方向にアーム部材３２ｂを押圧する。これにより、リンク機構３２は、白抜き矢印Ｂ２の方向にロック棒３１を動かす。その結果、ロック棒３１の先端部が、金庫筺体１０の天板に設けられた孔１０ｃに入り込み、孔１０ｃを介して金庫筺体１０の内部から外部に突出する。そして、ロック棒３１の先端部は、紙幣取扱上部ユニット９の上部ベース１６に設けられた孔１６ａに入り込む。これにより、紙幣取扱上部ユニット９は、ロックがかかって、引き出すことが不能な状態になる。
【００３９】
一方、金庫扉４１が開けられた場合に、金庫扉４１の内壁面がアーム部材３２ｂの突起３２ｂａから離間して、金庫扉４１がアーム部材３２ｂを押圧しなくなる。このとき、リンク機構３２は、スプリング３２ｃの付勢力により、白抜き矢印Ｂ２とは逆の方向にロック棒３１を動かす。その結果、ロック棒３１の先端部は、紙幣取扱上部ユニット９の上部ベース１６に設けられた孔１６ａから外れる。これにより、紙幣取扱上部ユニット９は、ロックが解除されて、引き出すことが可能な状態になる。
【００４０】
図６に示すように、セキュリティカバー３９は、前面部３９Ｆと、右面部３９Ｒと、左面部３９Ｌと、上面部３９Ｔと、斜面部３９Ｓと、を有するカバー部材である。セキュリティカバー３９は、紙幣取扱上部ユニット９の前方の要部を覆うことができるように、中空な構造になっている。
【００４１】
セキュリティカバー３９の上面部３９Ｔと斜面部３９Ｓとには、接客口１３ａ（図４参照）の形状に合わせて、開口部３９ｃが形成されている。これにより、利用者や保守員は、開口部３９ｃを介して接客口１３ａ（図４参照）にアクセスすることができる。
【００４２】
右面部３９Ｒ及び左面部３９Ｌの前側下端付近には、セキュリティカバー３９を回動させるための支点３９ａが設けられている。支点３９ａは、上部ベース１６（図４参照）に設けられた軸部（図示せず）に回動自在に係合されている。つまり、セキュリティカバー３９は、上部ベース１６に設けられた図示せぬ軸部によって回動自在に軸支されている。
【００４３】
図４に示すように、紙幣取扱上部ユニット９が装置本体１（キャビネット１８）の内部に収納された状態では、セキュリティカバー３９は、閉じられており、紙幣取扱上部ユニット９のノブ類（シャッタ開閉ノブ２５、接客部搬送ノブ２６、及び搬送部駆動ノブ２８）やオープンガイド２７を覆っている。また、この状態では、セキュリティカバー３９の上面部３９Ｔの先端部３９ｂは、ビーム４９の下に入り込んでいる。
【００４４】
この状態において、支点３９ａ回りにセキュリティカバー３９を回動させようとした場合に、セキュリティカバー３９の先端部３９ｂがビーム４９に当接する。そのため、セキュリティカバー３９は、回動不能な状態になっている。したがって、この状態において、自動取引装置１００は、セキュリティカバー３９が開けられることをビーム４９で規制することができる。
【００４５】
このような自動取引装置１００は、金庫扉４１が閉じられている場合に、規制部３０が紙幣取扱上部ユニット９にロックをかけて、紙幣取扱上部ユニット９の移動（引き出し）を規制する構造になっている。そして、自動取引装置１００は、紙幣取扱上部ユニット９が装置本体１（キャビネット１８）の内部に収納された状態では、セキュリティカバー３９を開けることができない構造になっている。そのため、自動取引装置１００は、この状態では、紙幣取扱上部ユニット９のノブ類やオープンガイド２７にアクセスすることができない。このような自動取引装置１００は、権限の低い人物（例えば、保守員以外の、金庫筺体１０の内部にアクセスする権限を持たない人物）が紙幣取扱上部ユニット９の内部に残留した紙幣２３に触れることを抑制することができる。
【００４６】
一方、図７に示すように、紙幣取扱上部ユニット９が矢印Ａ１の方向に移動されて装置本体１の外部に引き出された状態では、セキュリティカバー３９の先端部３９ｂは、ビーム４９の下から外れている。
【００４７】
この状態において、セキュリティカバー３９の先端部３９ｂとビーム４９との当接が解除される。そのため、支点３９ａ回りにセキュリティカバー３９を回動させようとした場合に、セキュリティカバー３９は、矢印Ａ２の方向に回動可能な状態になっている。したがって、この状態において、自動取引装置１００は、セキュリティカバー３９を開けることができる。
【００４８】
このような自動取引装置１００は、紙幣取扱上部ユニット９が装置本体１（キャビネット１８）の外部に引き出された状態では、セキュリティカバー３９を開けることができる。そのため、自動取引装置１００は、この状態では、紙幣取扱上部ユニット９のノブ類やオープンガイド２７にアクセスすることができる。そして、自動取引装置１００は、金庫扉４１が開けられている場合に、規制部３０が紙幣取扱上部ユニット９のロックを解除して、紙幣取扱上部ユニット９の移動（引き出し）を規制しない構造になっている。このような自動取引装置１００は、権限の高い人物（例えば、保守員等の、金庫筺体１０の内部にアクセスする権限を有する人物）だけが紙幣取扱上部ユニット９の内部に残留した紙幣２３に触れられるようにすることができる。
【００４９】
係る構成において、図４に示すように、金庫扉４１が閉じられているときに、自動取引装置１００は、紙幣取扱上部ユニット９の移動（引き出し）を規制して、セキュリティカバー３９を開けられないようにすることができる。これにより、自動取引装置１００は、ノブ類やオープンガイド２７へのアクセスを規制することができる。
【００５０】
一方、図７に示すように、金庫扉４１が開けられているときに、自動取引装置１００は、紙幣取扱上部ユニット９の移動（引き出し）が可能な状態にして、セキュリティカバー３９を開けられるようにする。これにより、自動取引装置１００は、ノブ類やオープンガイド２７にアクセスできるようにする。
【００５１】
＜自動取引装置の主な特徴＞
（１）図４に示すように、自動取引装置１００は、金庫扉４１が閉じられているときに、紙幣取扱上部ユニット９（処理ユニット）の移動（引き出し）を規制する規制部３０を有している。
【００５２】
このような自動取引装置１００は、金庫扉４１が閉じられているときに、紙幣取扱上部ユニット９の移動を規制して、権限の低い人物（例えば、金庫筺体１０の内部にアクセスする権限を持たない人物）が紙幣取扱上部ユニット９の内部に残留した紙幣２３に触れることを抑制することができる。
【００５３】
（２）図５に示すように、規制部３０は、紙幣取扱上部ユニット９（処理ユニット）に設けられた孔１６ａ（嵌合部）に嵌合するロック棒３１（嵌合部材）と、リンク機構３２（作動機構）と、を有している。リンク機構３２は、金庫扉４１が閉じられるときに、孔１６ａに近づく方向にロック棒３１を移動させることにより、孔１６ａとロック棒３１とを嵌合させる。また、リンク機構３２は、金庫扉４１が開かれるときに、孔１６ａから離れる方向にロック棒３１を移動させることにより、孔１６ａとロック棒３１との嵌合を解除させる。
【００５４】
自動取引装置１００は、このような規制部３０を有することにより、金庫扉４１の開閉動作に連動して紙幣取扱上部ユニット９の移動（引き出し）を規制することができる。
【００５５】
（３）図４及び図７に示すように、自動取引装置１００は、紙幣取扱上部ユニット９（処理ユニット）の要部を覆うセキュリティカバー２９（カバー部材）と、セキュリティカバー２９と当接して、セキュリティカバー２９の動きを規制するビーム４９（当接部材）と、を備えている。セキュリティカバー２９は、紙幣取扱上部ユニット９とともに移動可能で、かつ、紙幣取扱上部ユニット９に設けられた軸部を中心に回動可能に、設けられている。ビーム４９は、紙幣取扱上部ユニット９が装置本体１（キャビネット１８）の内部（所望の場所）から装置本体１（キャビネット１８）の外部（別の場所）に移動されたときに、セキュリティカバー２９との当接が解除されて、セキュリティカバー２９の動きを規制しない状態になる。また、ビーム４９は、紙幣取扱上部ユニット９が装置本体１（キャビネット１８）の外部（別の場所）から装置本体１（キャビネット１８）の内部（所望の場所）に戻されたときに、セキュリティカバー２９と当接して、セキュリティカバー２９の動きを規制する状態になる。
【００５６】
自動取引装置１００は、このようなセキュリティカバー２９とビーム４９を有することにより、紙幣取扱上部ユニット９が装置本体１（キャビネット１８）の内部に収納されている場合に、セキュリティカバー２９を開けることを規制することができる。
【００５７】
（４）紙幣取扱上部ユニット９（処理ユニット）は、可動部（シャッタ開閉ノブ２５や、接客部搬送ノブ２６、搬送部駆動ノブ２８等のノブ類と、オープンガイド２７）を有している。セキュリティカバー２９（カバー部材）は、可動部を外部から隠蔽するように設けられている。
【００５８】
自動取引装置１００は、このようなセキュリティカバー２９を有することにより、紙幣取扱上部ユニット９が装置本体１（キャビネット１８）の内部に収納されている場合に、可動部へのアクセスを規制することができる。
【００５９】
以上の通り、本実施形態１に係る自動取引装置１００によれば、権限の低い人物が処理ユニット（紙幣取扱上部ユニット９）の内部に残留した媒体（紙幣２３）に触れることを抑制することができる。
【００６０】
［実施形態２］
実施形態１に係る自動取引装置１００（図４参照）は、以下のような現象が発生する可能性がある。
自動取引装置１００は、例えば、リンク機構３２や、セキュリティカバー３９、セキュリティカバー３９を回動自在に軸支する図示せぬ軸部等を有しており、部品点数が多く、複雑な構造になっている。そのため、自動取引装置１００は、製造コストが高くなる可能性や、動作の安定性が低下する可能性がある。
また、自動取引装置１００は、保守時にセキュリティカバー３９を開閉させるため、比較的広い保守エリアが必要になる可能性がある。
また、自動取引装置１００は、セキュリティカバー３９が動くため、セキュリティカバー３９を変形させてしまう可能性や、保守終了後に保守員がセキュリティカバー３９を閉じ忘れてしまう可能性がある。
そこで、本実施形態２では、簡素な構造で、これらの現象の発生を抑制する自動取引装置１００Ａを提供する。
【００６１】
以下、図８乃至図１０を参照して、規制部３０Ａの構成について説明する。図８乃至図１０は、それぞれ、本実施形態２で用いる規制部３０Ａの構成図である。図８は、紙幣取扱上部ユニット９が装置本体１（キャビネット１８）の内部に収納されている場合において、側面方向から見た規制部３０Ａの構成を示している。図９は、紙幣取扱上部ユニット９が装置本体１（キャビネット１８）の内部に収納されている場合において、正面方向から見た規制部３０Ａの構成を示している。図１０は、紙幣取扱上部ユニット９が装置本体１（キャビネット１８）の外部に引き出されている場合において、側面方向から見た規制部３０Ａの構成を示している。
【００６２】
図８乃至図１０に示すように、本実施形態２に係る自動取引装置１００Ａは、実施形態１に係る自動取引装置１００（図４乃至図７参照）と比較すると、規制部３０とセキュリティカバー３９とビーム４９との代わりに、規制部３０Ａとカバー５９とを有する点で相違している。規制部３０Ａは、金庫扉４１が閉じられているときに、処理ユニットである紙幣取扱上部ユニット９の移動を規制する機構である。また、カバー５９は、紙幣取扱上部ユニット９が装置本体１（キャビネット１８）の内部に収納されているときに、紙幣取扱上部ユニット９の要部であるノブ類（シャッタ開閉ノブ２５や、接客部搬送ノブ２６、搬送部駆動ノブ２８）を外部から隠蔽するためのカバー部材である。
【００６３】
本実施形態２では、規制部３０Ａは、金庫扉４１の外側に設けられたシャフト５１によって構成されている。シャフト５１は、金庫扉４１の開閉動作に連動して移動する扉連動部材である。シャフト５１は、例えば金属材を塑性変形させることによって製造される。
【００６４】
図８に示すように、本実施形態２では、シャフト５１は、側面視において、途中部分が鈍角な角度で屈曲した略逆Ｌ字状の形状を呈している。また、図９に示すように、シャフト５１は、正面視において、逆Ｕ字状の形状を呈している。ただし、シャフト５１の形状は、このような形状に限定されるものではなく、任意の形状に変更することができる。
【００６５】
図８に示すように、シャフト５１は、その下側部分の内壁面が金庫扉４１の外壁面に当接するように、配置されている。シャフト５１の下側部分は、ネジ等の固定部材５１ａによって金庫扉４１に固定されている。ネジ等の固定部材５１ａは、金庫扉４１の内壁面側から外壁面側に貫通するように取り付けられている。なお、図示例では、シャフト５１は、固定部材５１ａで固定されている箇所よりも下側に延在している。このようなシャフト５１は、シャフト５１にかかる応力を十分に支えることができるため、変形し難い構造になっている。
【００６６】
なお、図９に示す例では、金庫扉４１は、右側に図示せぬ軸部が設けられており、左側が開く構成になっている。シャフト５１は、その金庫扉４１の左側に寄った位置（つまり、金庫扉４１の図示せぬ軸部から離間した側の位置）に固定されている。これは、金庫扉４１の図示せぬ軸部から離間した側の位置にシャフト５１を配置することにより、金庫扉４１の開閉に合わせてシャフト５１を比較的大きく移動させるようにするためである。
【００６７】
また、図９に示す例では、紙幣取扱上部ユニット９は、左側に寄った位置に配置されている。これは、図１０に示すように、紙幣取扱上部ユニット９が白抜き矢印Ｃ１の方向に移動されて引き出された場合に、紙幣取扱上部ユニット９がシャフト５１に当たらないようにするためである。
【００６８】
自動取引装置１００Ａは、保守時に、シャフト５１を比較的大きく移動させることができるとともに、紙幣取扱上部ユニット９がシャフト５１に当たらないようにすることができる。そのため、保守員は、保守時に、円滑に作業を行うことができる。
【００６９】
カバー５９は、キャビネット１８の内部に設けられている。そのため、自動取引装置１００Ａは、紙幣取扱上部ユニット９が装置本体１（キャビネット１８）の内部に収納されている状態では、紙幣取扱上部ユニット９のノブ類にアクセスすることができず、ノブ類を回すことができない構造になっている。
【００７０】
係る構成において、図８に示すように、金庫扉４１が閉じられているときに、シャフト５１の略中央部は、紙幣取扱上部ユニット９の上部ベース１６と当接した状態又は近接した状態になっている。これにより、自動取引装置１００Ａは、紙幣取扱上部ユニット９の移動（引き出し）を規制することができる。また、この場合に、シャフト５１の先端部５１ｂは、紙幣取扱上部ユニット９のオープンガイド２７と当接した状態又は近接した状態になっている。これにより、自動取引装置１００Ａは、オープンガイド２７が開かれないようにすることができる。また、この場合に、カバー５９は、紙幣取扱上部ユニット９のノブ類（シャッタ開閉ノブ２５や、接客部搬送ノブ２６、搬送部駆動ノブ２８）を外部から隠蔽する。これにより、自動取引装置１００Ａは、ノブ類へのアクセスを規制することができる。
【００７１】
一方、図１０に示すように、金庫扉４１が開かれているときに、シャフト５１の略中央部は、紙幣取扱上部ユニット９の上部ベース１６から離間した状態になっている。これにより、自動取引装置１００Ａは、紙幣取扱上部ユニット９の移動（引き出し）が可能な状態にする。また、この場合に、シャフト５１の先端部５１ｂは、紙幣取扱上部ユニット９のオープンガイド２７から離間した状態になっている。これにより、自動取引装置１００Ａは、オープンガイド２７が開けられるようにする。また、この場合に、紙幣取扱上部ユニット９のノブ類（シャッタ開閉ノブ２５や、接客部搬送ノブ２６、搬送部駆動ノブ２８）が、カバー５９よりも前方に移動するため、外部に露出する。これにより、自動取引装置１００Ａは、ノブ類にアクセスできるようにする。
【００７２】
このような自動取引装置１００Ａは、金庫扉４１に設けられたシャフト５１の略中央部で紙幣取扱上部ユニット９の上部ベース１６を押さえる構造になっている。これにより、金庫扉４１が閉じられた状態において、自動取引装置１００Ａは、紙幣取扱上部ユニット９の移動（引き出し）を規制することができる。また、自動取引装置１００Ａは、金庫扉４１に設けられたシャフト５１の先端部５１ｂで紙幣取扱上部ユニット９のオープンガイド２７を押さえる構造になっている。これにより、金庫扉４１が閉じられた状態において、自動取引装置１００Ａは、オープンガイド２７が開かれることを規制することができる。さらに、自動取引装置１００Ａは、装置本体１（キャビネット１８）の内部に設けられたカバー５９で紙幣取扱上部ユニット９のノブ類（シャッタ開閉ノブ２５や、接客部搬送ノブ２６、搬送部駆動ノブ２８）を隠蔽する構造になっている。これにより、紙幣取扱上部ユニット９が装置本体１（キャビネット１８）の内部に収納され、かつ、金庫扉４１が閉じられた状態において、自動取引装置１００Ａは、ノブ類へのアクセスを規制することができる。その結果、自動取引装置１００Ａは、紙幣取扱上部ユニット９に対して、高いセキュリティを確保することができる。
【００７３】
＜自動取引装置の主な特徴＞
（１）図８乃至図１０に示すように、自動取引装置１００Ａは、金庫扉４１が閉じられているときに、紙幣取扱上部ユニット９（処理ユニット）の移動（引き出し）を規制する規制部３０Ａを有している。
【００７４】
このような自動取引装置１００Ａは、金庫扉４１が閉じられているときに、紙幣取扱上部ユニット９の移動を規制して、権限の低い人物（例えば、金庫筺体１０の内部にアクセスする権限を持たない人物）が紙幣取扱上部ユニット９の内部に残留した紙幣２３に触れることを抑制することができる。
【００７５】
（２）図８乃至図１０に示すように、規制部３０Ａは、金庫扉４１の開閉動作に連動して移動するシャフト５１（扉連動部材）によって構成されている。シャフト５１は、金庫扉４１が閉じられているときに、紙幣取扱上部ユニット９（処理ユニット）と当接した状態又は近接した状態になる。一方、シャフト５１は、金庫扉４１が開かれているときに、紙幣取扱上部ユニット９（処理ユニット）から離間した状態になる。
【００７６】
自動取引装置１００Ａは、このような規制部３０Ａを有することにより、金庫扉４１の開閉動作に連動して紙幣取扱上部ユニット９の移動（引き出し）を規制することができる。そのため、自動取引装置１００Ａは、金庫扉４１が閉じられているときに、紙幣取扱上部ユニット９の移動を規制して、権限の低い人物（例えば、金庫筺体の内部にアクセスする権限を持たない人物）が紙幣取扱上部ユニット９の内部に残留した紙幣２３に触れることを抑制することができる。
【００７７】
（３）図８に示すように、シャフト５１（扉連動部材）は、金庫扉４１が閉じられているときに、その先端部５１ｂが紙幣取扱上部ユニット９に設けられたオープンガイド２７に当接した状態又は近接した状態になり、オープンガイド２７の動きを規制する。
【００７８】
自動取引装置１００Ａは、このようなシャフト５１を有することにより、金庫扉４１が閉じられているときに、オープンガイド２７が開かれないようにすることができる。
【００７９】
（４）自動取引装置１００Ａは、紙幣取扱上部ユニット９の要部（シャッタ開閉ノブ２５や、接客部搬送ノブ２６、搬送部駆動ノブ２８等のノブ類）を外部から隠蔽するカバー５９（カバー部材）を備えている。カバー５９は、紙幣取扱上部ユニット９の側方となる装置本体１（キャビネット１８）の内壁面に固定して設けられている。カバー５９は、紙幣取扱上部ユニット９が装置本体１（キャビネット１８）の内部（所望の場所）から装置本体１（キャビネット１８）の外部（別の場所）に移動されることにより、紙幣取扱上部ユニット９の要部を外部に露出させた状態になる。また、カバー５９は、紙幣取扱上部ユニット９が装置本体１（キャビネット１８）の外部（別の場所）から装置本体１（キャビネット１８）の内部（所望の場所）に戻されることにより、紙幣取扱上部ユニット９の要部を外部から隠蔽した状態になる。
【００８０】
自動取引装置１００Ａは、このようなカバー５９を備えることにより、紙幣取扱上部ユニット９が装置本体１（キャビネット１８）の内部に収納されている場合に、紙幣取扱上部ユニット９の要部へのアクセスを規制することができる。
【００８１】
（５）紙幣取扱上部ユニット９（処理ユニット）は、可動部（シャッタ開閉ノブ２５や、接客部搬送ノブ２６、搬送部駆動ノブ２８等のノブ類）を有している。カバー５９（カバー部材）は、可動部を外部から隠蔽するように設けられている。
【００８２】
自動取引装置１００Ａは、このようなカバー５９を有することにより、紙幣取扱上部ユニット９が装置本体１（キャビネット１８）の内部に収納されている場合に、可動部へのアクセスを規制することができる。
【００８３】
以上の通り、本実施形態２に係る自動取引装置１００Ａによれば、実施形態１に係る自動取引装置１００と同様に、権限の低い人物が処理ユニット（紙幣取扱上部ユニット９）の内部に残留した媒体（紙幣２３）に触れることを抑制することができる。
しかも、本実施形態２に係る自動取引装置１００Ａによれば、実施形態１に係る自動取引装置１００に比べて、構造を簡素化することができるため、部品点数の低減や、製造コストの低減を実現することができる。また、自動取引装置１００Ａによれば、動作の安定性を向上させることができる。
また、自動取引装置１００Ａによれば、保守時に紙幣取扱上部ユニット９を引き出しても、カバー５９が装置本体１（キャビネット１８）の内部に残るため、保守エリアを小さくすることができる。
また、自動取引装置１００Ａによれば、カバー５９が動かないため、カバー５９を変形させないようにすることができるとともに、保守終了後に保守員がカバー５９を閉じ忘れることを防止することができる。
【００８４】
なお、本発明は、前記した実施形態に限定されるものではなく、本発明の要旨を逸脱しない範囲で種々の変更や変形を行うことができる。
【００８５】
例えば、前記した実施形態は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【００８６】
また、例えば、前記した実施形態では、処理ユニット（紙幣取扱上部ユニット９）が金庫筺体１０の上方に配置されている。しかしながら、処理ユニット（紙幣取扱上部ユニット９）は、金庫筺体１０の下方に配置されるようにしてもよい。つまり、処理ユニット（紙幣取扱上部ユニット９）と金庫筺体１０との配置位置は、逆であってもよい。また、処理ユニット（紙幣取扱上部ユニット９）と金庫筺体１０とは、横方向に配置されるようにしてもよい。
【００８７】
また、例えば、本発明は、媒体を搬送する搬送部と金庫扉とを有する自動取引装置であれば、現金自動預け払い機（ＡＴＭ）だけでなく、交通機関や流通機関で用いられている発券機や、その他の装置に利用することができる。
【符号の説明】
【００８８】
１    装置本体
１ａ    上部前扉
１ｂ    下部前扉
２    表示操作部
３    カード明細口
４    紙幣口
５    番号入力部
６    制御部ユニット
７    電源ユニット
８    レシートユニット
８ａ    ロール紙収納部
８ｂ    プリンタ部
９    紙幣取扱上部ユニット（処理ユニット）
１０    金庫筐体
１０ａ    媒体収納部
１０ｂ    開口部
１０ｃ    孔
１１    紙幣取扱下部ユニット
１２    搬送部
１３    接客部
１３ａ    接客口
１４    認識部
１５    一時保留部
１６    上部ベース
１６ａ    孔（嵌合部）
１７    スライドレール
１８    キャビネット
１９    紙幣カセット
２０    下部フレーム
２１    スライドレール
２２    紙幣受渡し部
２３    紙幣（媒体）
２４    接客シャッタ
２５    シャッタ開閉ノブ（可動部）
２６    接客部搬送ノブ（可動部）
２７    オープンガイド（可動部）
２８    搬送部駆動ノブ（可動部）
３０，３０Ａ    規制部
３１    ロック棒（嵌合部材）
３２    リンク機構（作動機構）
３２ａ    ブラケット
３２ａａ    固定部
３２ｂ    アーム部材
３２ｂａ    突起
３２ｃ    スプリング
３９    セキュリティカバー（カバー部材）
３９ａ    支点
３９ｂ    先端部
３９ｃ    開口部
４１    金庫扉
４９    ビーム（当接部材）
５１    シャフト（扉連動部材）
５１ａ    固定部材
５１ｂ    先端部
５９    カバー（カバー部材）
１００    自動取引装置
１１０    金庫
１１１    紙幣ユニット
【図１】
2019133256.tif 000003
【図２】
2019133256.tif 000004
【図３】
2019133256.tif 000005
【図４】
2019133256.tif 000006
【図５】
2019133256.tif 000007
【図６】
2019133256.tif 000008
【図７】
2019133256.tif 000009
【図８】
2019133256.tif 000010
【図９】
2019133256.tif 000011
【図１０】
2019133256.tif 000012
【図１１】
2019133256.tif 000013